(57)【要約】【課題】映像ファイルや音声ファイルを保持した記録媒体あるいは記録機器までの階層をユーザーに意識させることなく、再生可能な映像再生装置および映像再生方法を提供する。【解決手段】この発明の１つの実施の形態を用いることで、検出された目的のファイルを含む階層よりも上位の階層は、目的のファイルを含むリストと同時に表示しないことにより、目的のファイルを一覧可能なリストを表示させることにより、映像ファイルや音声ファイルを保持した記録媒体あるいは記録機器までの階層をユーザーに意識させることなく、再生可能となる。【選択図】図２
2010282720.tif 000002
【特許請求の範囲】
【請求項１】
入力情報の階層構造またはファイル名を取得し、
取得した階層構造またはファイル名及びそれに付属する識別子が、記憶部に記憶されているフォルダ構造、かつ目的のファイルに特有の識別子であるかに基づいて、過去に再生したことがあるフォルダであることを検出し、
検出したフォルダに属するファイルのみを表示する個別リストを生成する
映像再生方法。
【請求項２】
過去に再生したことがあるフォルダであることが検出できた場合、新たに入力される入力情報が同一のフォルダに属する場合に、直接ファイルを再生することのできるショートカット機能を提供する請求項１の映像再生方法。
【請求項３】
個別リストは、少なくともルートディレクトリーを検出した場合に生成する請求項１または２の映像再生方法。
【請求項４】
入力画像を再生する再生部と、
前記再生部が再生した入力画像の識別子が特定するフォルダを記憶する記憶部と、
前記記憶部が記憶するフォルダと同一のフォルダを含む入力画像入力時、そのフォルダを表示可能に、表示情報を生成するフォルダ表示部と、
を備える映像再生装置。
【請求項５】
前記フォルダ表示部が生成する表示情報を表示する表示装置をさらに備える請求項４記載の映像再生装置。
【請求項６】
前記フォルダ表示部は、前記再生部が再生した入力画像の識別子に従い、事前に登録されている機器からの入力画像であると判断した場合、再生映像信号中に、登録されている機器名を表示するための信号を付加する請求項４または５の映像再生装置。
【請求項７】
入力画像を再生し、
再生した入力画像の識別子が特定するフォルダを記憶し、
記憶したフォルダと同一のフォルダを含む入力画像入力時、そのフォルダを表示可能に、表示情報を生成する映像再生方法。
【発明の詳細な説明】
【技術分野】
【０００１】
この発明は、放送事業者や配信事業者から提供される空間波や光ファイバ等を通じて、あるいはさまざまな記録媒体を介して、もしくはネットワークや無線ＬＡＮを通じて供給される動画や画像データを再生することのできる映像再生装置および映像再生方法に関する。
【背景技術】
【０００２】
デジタルＴＶに代表されるデジタル映像や音声を再生できる映像再生機器において再生対象となる映像ファイルや音声ファイルは、さまざまな規格においてファイル化され、それに応じて、さまざまなディレクトリー構造を持つ。また、各ファイルを収容している記録媒体や各ファイルを転送する転送方式も多岐に亘っている。
【０００３】
映像ファイルや音声ファイルは、例えば大容量記憶装置であるハードディスク（Ｈａｒｄ  Ｄｉｓｋ  Ｄｒｉｖｅ）機器に収容されるが、ハードディスク機器は、再生機器本体に内蔵されるものに加え、専用端子もしくはネットワークやＵＳＢ（Ｕｎｉｖｅｒｓａｌ  Ｓｅｒｉａｌ  Ｂｕｓ）、ＩＥＥＥ１３９４（Ｉ−Ｌｉｎｋ）等を介した有線による接続、無線ＬＡＮやブルートゥース（Ｂｌｕｅ  Ｔｏｏｔｈ，登録商標）等により無線で接続されるものも広く利用されている。また、映像ファイルや音声ファイルを保持する記録媒体（記録機器）としては、ＳＤカード（メモリーカード）等に代表される半導体メモリーや、光ディスク等に加え、ＨＤＤを内蔵したビデオカメラ装置等がある。
【０００４】
上述の記録媒体（記録機器）においては、通常、記録機器独自、もしくは各種規格で決められたディレクトリー構造を伴って、映像ファイルや音声ファイルが記録される。
【０００５】
このため、例えばＳＤカードを介して供給される映像ファイルや音声ファイルを再生しようとした場合、再生機器において、ＳＤカードが接続された階層（ディレクトリー）をサーチしたのち、再生に必要なアプリケーションを起動する必要がある。
【０００６】
特許文献１には、メーカーや機種で異なるコンテンツ管理ファイルの構造や管理形式によらず、リストを生成してコンテンツを再生することが開示されている。
【先行技術文献】
【特許文献】
【０００７】
【特許文献１】特開２００８−２１３４９号公報
【発明の概要】
【発明が解決しようとする課題】
【０００８】
特許文献１に開示されたコンテンツを再生する方法においては、予め決められた再生機器に独自の識別子をコンテンツ毎に割り当てることにより、メーカーや機種で異なるコンテンツ管理形式に拘わりなくコンテンツを再生できる、との記載がある。
【０００９】
しかしながら、過去に再生した実績のあるファイル形式や特定の機種から供給される映像ファイルや音声ファイルについても、毎回、再生機器に独自の識別子をコンテンツ毎に割り当てることが必要である。
【００１０】
この発明の目的は、特定の機種から供給される映像ファイルや音声ファイル、あるいは過去に再生した実績のあるファイル形式の映像または音声を再生する際に、映像ファイルや音声ファイルを保持した記録媒体あるいは記録機器までの階層をユーザーに意識させることなく、再生可能な映像再生装置および映像再生方法を提供することである。
【課題を解決するための手段】
【００１１】
この発明は、上記問題点に基づきなされたもので、入力情報の階層構造またはファイル名を取得し、取得した階層構造またはファイル名及びそれに付属する識別子が、記憶部に記憶されているフォルダ構造、かつ目的のファイルに特有の識別子であるかに基づいて、過去に再生したことがあるフォルダであることを検出し、検出したフォルダに属するファイルのみを表示する個別リストを生成する映像再生方法を提供するものである。
【発明の効果】
【００１２】
本発明の実施の形態の１つを用いることで、複雑なディレクトリー構造を理解することなく、再生対象である目的のファイルを、容易に再生できる（直ぐに目的のファイルが保持されているフォルダーに到達できる）。
【００１３】
また、事前に再生機器として登録されていない機器により記録されたデータ（ファイル）についても、簡単な再生手続きにより、ファイルを再生することができる。
【００１４】
すなわち、本発明の実施形態の１つを用いることで、製造元（メーカー）毎に異なることの多い、それぞれの機器で決められたディレクトリー構造でファイルされたさまざまなデジタルカメラやムービー（ビデオカメラ）等で記録されたファイルを、複雑なディレクトリー（フォルダー）構造をユーザーに意識させること無く容易に再生することができ、従って、ユーザーの操作性や利便性が大幅に向上する。
【図面の簡単な説明】
【００１５】
【図１】この発明の実施形態が適用される映像再生装置の一例を示す概略ブロック図。
【図２】図１により概略を説明した映像再生装置を用いて、外部装置において記録されたデータ（映像ファイルや音声ファイル）を再生する方法の一例を説明する概略図。
【図３】図２により概略を説明した外部装置において記録されたデータ（映像ファイルや音声ファイル）を再生するためのフォルダー構造を検出できる要素を抜き出して説明する概略図。
【図４】図２により概略を説明したフォルダー構造の検出と、個別リストの表示について、より詳細に説明するフローチャート。
【図５】記録方式に起因して分割されたファイルを１つのファイルとして表示する例を示す概略図。
【図６】ショートカット機器一覧へ機種（モデル）名を追加する手順の一例を示す概略図。
【発明を実施するための形態】
【００１６】
以下、図面を参照して、本発明の実施の形態の一例について説明する。
【００１７】
図１は、本発明の実施の形態が適用可能な映像再生装置の一例を示す。なお、以下に説明する映像再生装置は、例えば映像表示装置（モニタ装置）が一体に設けられているテレビ受信機であってもよいし、映像表示を出力可能な記録再生装置（レコーダ装置）であってもよい。
【００１８】
図１は、この発明の実施の形態が適用可能な映像再生装置（テレビ受信装置）を概略的に説明するブロック図である。
【００１９】
テレビ受信装置１１は、例えば液晶表示パネル等に代表されるディスプレイ装置が表示可能に、映像信号を出力する映像表示器１３、例えばスピーカー等に代表される音声再生装置が再生可能に、音声出力（オーディオ）を出力する音声再生部１５、ユーザーによる制御指示（制御入力）信号を受け入れる操作部１７、ユーザーからのリモートコントローラ（以下、リモコンと称する）による操作情報（制御入力）信号を受けつけるリモコン受信部１９、及び取り出し可能な記録媒体を介して外部から映像ファイルや音声ファイルを受け入れるとともにユーザーの要求に応じて映像ファイルや音声ファイルを記録媒体に出力するデータ入出力部７１を、有する。
【００２０】
上述したテレビ受信装置１１は、上記各ユニットの動作や表示もしくはオーディオ（音声）出力を、制御部（制御ブロック，メインボードと呼ばれることもある）６０により、統括的に制御されている。
【００２１】
制御部６０は、ＣＰＵ（Ｃｅｎｔｒａｌ  Ｐｒｏｃｅｓｓｉｎｇ  Ｕｎｉｔ）６１に代表される主制御用ＩＣ（ＬＳＩ）を内蔵し、操作部１７からの操作情報（入力）、またはリモコンから送出された操作情報を受信部１９により受信した（リモコン入力）制御信号に対応する操作内容が反映されるように、各部をそれぞれ制御している。
【００２２】
制御部６０はまた、例えばＣＰＵ６１が実行する制御プログラムを保持したＲＯＭ（Ｒｅａｄ  Ｏｎｌｙ  Ｍｅｍｏｒｙ）６２、ＣＰＵ６１に作業エリアを提供するＲＡＭ（Ｒａｎｄｏｍ  Ａｃｃｅｓｓ  Ｍｅｍｏｒｙ）６３、及び各種の設定情報及び制御情報等が格納される不揮発性メモリー（Ｎｏｎ  Ｖｏｌａｔｉｌｉｔｙ  Ｍｅｍｏｒｙ）６４を、含む。
【００２３】
制御部６０はまた、日時を保持する時計部（タイマコントローラ）８０を含み、時刻管理や、ユーザーからの入力により設定される録画予約が設定可能である。
【００２４】
以下、テレビ受信装置１１の主要な信号処理系について説明する。
【００２５】
ＢＳ／ＣＳデジタル放送受信用のアンテナ４２で受信した衛星デジタルテレビジョン放送信号は、入力端子４３を介して衛星デジタル放送用のチューナ４４に供給される。
【００２６】
チューナ４４は、制御部６０からの制御信号により所望のチャンネルの放送信号を選局し、この選局された放送信号をＰＳＫ（Ｐｈａｓｅ  Ｓｈｉｆｔ  Ｋｅｙｉｎｇ）復調器４５に出力する。
【００２７】
ＰＳＫ復調器４５は、制御部６０からの制御信号に基づき、チューナ４４で選局された放送信号を復調して、所望の番組を含んだトランスポートストリーム（Ｔｒａｎｓｐｏｒｔ  Ｓｔｒｅａｍ，ＴＳ）を得て、ＴＳ復号器４６に出力する。
【００２８】
ＴＳ復号器４６は、制御部６０からの制御信号により、トランスポートストリーム多重化された信号のＴＳ復号処理を行い、所望の番組のデジタルの映像信号及び音声信号を信号処理部４７に出力し、デジタル放送により送られている番組を取得するための各種データ（サービス情報），電子番組ガイド（ＥＰＧ）情報，番組属性情報（番組ジャンル等），字幕情報等を制御部６０へ出力する。
【００２９】
また、地上波放送受信用のアンテナ４８で受信した地上デジタルテレビジョン放送信号は、入力端子４９を介して地上デジタル放送用のチューナ５０に供給される。
【００３０】
チューナ５０は、制御部６０からの制御信号により所望のチャンネルの放送信号を選局し、この選局された放送信号をＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）復調器５１に出力する。
【００３１】
ＯＦＤＭ復調器５１は、制御部６０からの制御信号により、チューナ５０で選局された放送信号を復調して、所望の番組を含んだトランスポートストリームを得て、ＴＳ復号器５６に出力する。
【００３２】
ＴＳ復号器５６は、制御部６０の制御の下で、トランスポートストリーム（ＴＳ）多重化された信号のＴＳ復号処理を行い、所望の番組のデジタルの映像信号及び音声信号を信号処理部４７に出力し、デジタル放送により送られている番組を取得するための各種データや電子番組ガイド（ＥＰＧ）情報，番組属性情報（番組ジャンル等）等を制御部６０へ出力する。
【００３３】
地上波放送受信用のアンテナ４８で受信した地上アナログテレビジョン放送信号は、入力端子４９を介して地上アナログ放送用のチューナ５２に供給されることにより、所望のチャンネルの放送信号が選局される。チューナ５２で選局された放送信号は、アナログ復調器５３によりアナログの映像信号及び音声信号に復調された後、信号処理部４７に出力される。
【００３４】
信号処理部４７は、ＰＳＫ復調器４５及びＯＦＤＭ復調器５１からそれぞれ供給されたデジタルの映像信号及び音声信号に対して、選択的に所定のデジタル信号処理を施し、グラフィック処理部５４及び音声処理部５５に出力している。
【００３５】
信号処理部４７にはまた、複数（図示の場合は４つ）の入力端子４０ａ，４０ｂ，４０ｃ，４０ｄが接続されている。これら入力端子４０ａ〜４０ｄは、それぞれ、アナログの映像信号及び音声信号を、放送受信装置１１の外部から入力可能とするものである。
【００３６】
信号処理部４７は、アナログ復調器５３及び各入力端子４０ａ〜４０ｄから、それぞれ供給されたアナログの映像信号及び音声信号を選択的にデジタル化し、このデジタル化された映像信号及び音声信号に対して所定のデジタル信号処理を施した後、グラフィック処理部５４及び音声処理部５５に出力する。
【００３７】
グラフィック処理部５４は、信号処理部４７から供給されるデジタルの映像信号に、ＯＳＤ（Ｏｎ  Ｓｃｒｅｅｎ  Ｄｉｓｐｌａｙ）信号生成部５７で生成されるＯＳＤ信号を重畳して出力する機能を有する。このグラフィック処理部５４は、信号処理部４７の出力映像信号と、ＯＳＤ信号生成部５７の出力ＯＳＤ信号とを選択的に出力すること、また、両出力をそれぞれ画面の半分を構成するように組み合わせて出力することができる。
【００３８】
なお、ＯＳＤ信号生成部５７により出力される出力ＯＳＤ信号は、αブレンディングのパラメータが設定されることで、通常の映像表示上に、「半透明」状態で（通常の映像信号の一部を透過可能に）重ね合わせて出力させることもできる。
【００３９】
グラフィック処理部５４はまた、放送信号が字幕信号を伴い、字幕が表示可能である場合は、制御部６０からの制御信号および字幕情報に基づき、映像信号上に字幕情報を重畳する処理を行う。
【００４０】
グラフィック処理部５４から出力されたデジタルの映像信号は、映像処理部５８に供給される。映像処理部５８は、映像表示器１３の出力端２１の接続されるディスプレイ装置（モニタ装置）により映像（動画／静止画）出力として再生可能に、グラフィック処理部５４から供給されるデジタルの映像信号をアナログの映像信号に変換する。なお、出力端２１が省略され、映像表示器１３に、直接モニタ装置（ディスプレイ装置）が接続されてもよいことはいうまでもない。また、出力端２１には、例えばＤＶＤ規格の光ディスクを記録媒体とするＤＶＤレコーダ装置や、従来からのビデオテープを記録媒体とするビデオレコーダ装置が接続されてもよい。
【００４１】
音声処理部５５は、音声再生部１５の出力端２３に接続されるスピーカーやヘッドホン装置により音声／オーディオ出力として再生可能に、信号処理部から供給されるデジタルの音声信号をアナログの音声信号に変換する。なお、出力端２３が省略され、音声再生部１５に、直接スピーカーが接続されてもよいことはいうまでもない。
【００４２】
データ入出力部７１は、例えばＳＤカードに代表される半導体メモリー（メモリーカード）等が装着可能なカードリーダーライター／メモリースロット等であり、外部装置において記録されたデータ（映像ファイルや音声ファイル）を取得し、あるいはユーザーの要求に従い、映像ファイルや音声ファイルを記録媒体（ＳＤカード）に転送することができる。なお、データ入出力部７１は、例えばＵＳＢ（Ｕｎｉｖｅｒｓａｌ  Ｓｅｒｉａｌ  Ｂｕｓ）ポート等に代表されるインタフェースであってもよいし、データ入出力部７１と接続されたＵＳＢマスストレージであってもよい。また、データ入出力部７１は、例えばブルートゥース（Ｂｌｕｅ  Ｔｏｏｔｈ，登録商標）等に代表される無線通信機器であってもよい。
【００４３】
次に、図２を用い、図１により概略を説明した映像再生装置を用いて、外部装置において記録されたデータ（映像ファイルや音声ファイル）を再生する方法の一例を説明する。
【００４４】
データ入出力部７１に、ＳＤカード（記憶媒体）が挿入されると、第１に、ＳＤカードに記憶されているデータすなわち映像ファイルと音声ファイルが、どのような階層で記録されているか、が解析される［１］。
【００４５】
フォルダー構造（階層）が検出されると、階層構造に関し、「知っている（過去に再生したことのある）フォーマット」か否かがチェックされる［２］。
【００４６】
検出された階層構造が、「知っている（過去に再生したことのある）フォーマット」である場合（［２］−ＹＥＳ）、（挿入された）ＳＤカード（記憶媒体）に保持されているデータについて、目的のファイル（ファイル名）のみを表示させることのできる『個別リスト』が表示される。すなわち、コンテンツ（映像ファイル／音声ファイル）名が個別にリストされる）［３］。
【００４７】
なお、検出されたフォルダー構造（階層構造）が、過去に再生したことの無いフォーマットである場合（［２］−ＮＯ）、外部装置において記録されたファイル構造がそのまま表示される［４］。
【００４８】
この場合、表示された（取得できた）フォルダー構造について、ルートディレクトリーから、順次、ユーザーに目的のファイルをサーチ（検索）させることになる。すなわち、目的とする（再生しようとする）ファイルを、ユーザーには、自身で探し出すことが求められる。
【００４９】
一方で、デジタルカメラやムービー（ビデオカメラ）等で記録されたファイルは、それぞれの機器で決められたディレクトリー構造でファイルが管理されており、途中で、複数のディレクトリーに分岐する等の特別なフォルダー構造が与えられている等のケースもあり、ユーザーが目的のファイルにたどりつくことは、必ずしも容易ではない。
【００５０】
図３は、図２により概略を説明したフォルダー構造の検出と、検出結果に基づいて、個別リストを表示する要素の一例を示す。
【００５１】
制御部６０は、既に説明したＣＰＵ６１に加え、外部媒体またはネットワーク上の他の機器から供給されるコンテンツ（映像／音声）について階層＜＜フォルダー＞＞構造を取得する階層構造取得部６５と、階層構造取得部において取得した階層のうちの下位の階層に目的のファイルが存在するか否かを検出するファイル検出部６６と、階層構造取得部において取得した階層のうちの下位の階層に格納されている目的のファイルに、そのファイルに特有の特徴があるか否かを検出する特徴部検出部６７と、図６を用いて後段に説明するが、特徴部検出部６７により検出された特徴部を保持する特徴部記憶部６８を、さらに含む。
【００５２】
図４は、図２により概略を説明したフォルダー構造の検出と、個別リストの表示について、より詳細に説明するフローである。
【００５３】
データ入出力部７１に装着されたＳＤカード（記憶媒体）に少なくとも１つの階層（フォルダー）が含まれるか否かが、「ルートディレクトリーの検出」によりチェックされる［１１］。
【００５４】
「ルートディレクトリー」が検出された場合、第１に「ＤＣＦ（Ｄｅｓｉｇｎ  ｒｕｌｅ  ｆｏｒ  Ｃａｍｅｒａ  Ｆｉｌｅ  ｓｙｓｔｅｍ）またはＥｘｉｆ（Ｅｘｃｈａｎｇｅａｂｌｅ  ｉｍａｇｅ  ｆｉｌｅ  ｆｏｒｍａｔ）」に基づいて規定された上位フォルダーがあるか否かがチェックされる［１２］。
【００５５】
ＤＣＦ（またはＥｘｉｆ）に基づいて規定されたフォルダー構造が検出された場合、ＤＣＦ（またはＥｘｉｆ）フォルダーが含まれているか否かがチェックされる［１３］。
【００５６】
ＤＣＦ（またはＥｘｉｆ）フォルダーが含まれていることが検出された場合、そのフォルダー名に、付属する「メーカー名」／「機種（モデル）名」／「（予め映像再生装置で再生可能であることが確定していることを示す）特定の情報」である識別子あるいは拡張子があるか否かがチェックされる［１４］。なお、拡張子を含めて識別子と呼ぶことも可能である。
【００５７】
ＤＣＦフォルダー名に、付属する「メーカー名」／「機種名」／「（予め映像再生装置で再生可能であることが確定していることを示す）特定の情報」である識別子あるいは拡張子があることが検出された場合、続いて、さらに下位の階層構造、例えば『ＤＣＦ／メーカー／機種／〜〜〜』として付与されているファイル形式、例えば『／ＭＯＶＩＥ』や『／ＪＰＧ．』等である特定のファイル名があるか否かがチェックされる［１５］。
【００５８】
このようにして、データ入出力部７１にセットされたＳＤカード内に、例えば『ＤＣＦ／ＡＢＣ（メーカー名）／１１１１（機種名）／ＪＰＧ．』等に代表される特定の情報、すなわち識別子あるいは拡張子に基づいて表示されたファイル名が検出された場合、『過去に再生したことのある』、あるいは『予め映像再生装置で再生可能であることが確定している』ファイルが含まれている（ファイルが存在する）と判断され、『個別リスト』が表示される［１６］。
【００５９】
なお、［１３］から［１５］のいずれかの工程において、フォルダー名やファイル名が検出できない場合には、表示された（取得できた）フォルダー構造について、ルートディレクトリーから順次表示し、ユーザーに目的のファイルをサーチ（検索）させることになる（通常のディレクトリーの表示）［１７］。
【００６０】
一方、ＤＣＦ（またはＥｘｉｆ）に基づいて規定されたフォルダー構造が検出されない（検出できなかった）場合（［１２］−ＮＯ）であっても、例えば「インデックスファイル（．Ｉｎｄｅｘ／＿ＩＤ）」や「インフォメーションファイル（＿ＩＦＯ）」等である識別子あるいは拡張子を利用してファイルを特定することが可能である。例えば、広く普及しているファイルフォーマット規格であるＤＶＤフォーマットの上位フォルダーの有無や、特定機器に特有の規格（フォーマット）を示す識別子あるいは拡張子の上位フォルダーの有無をチェックすることも可能である［２１］，［２２］。
【００６１】
例えばＤＶＤフォーマットの上位フォルダーが含まれていることが検知できた場合（［２１］−ＹＥＳ）には、ＤＶＤフォーマットに従い、ファイルに付属するチャプタ情報や再生範囲情報、もしくはサムネイル（Ｔｈｕｍｂｎａｉｌ）画像の付属等を示す識別子あるいは拡張子を検出することで、その識別子あるいは拡張子に基づいて、ファイルの規格を特定することができる。より詳細には、例えばＤＶＤ規格のＤＶＤ−ＶＲモードで記録されている映像の場合には、「インフォメーションファイル（．＿ＩＦＯ）」のうちの管理ファイルの一つである『Ｖｉｄｅｏ  Ｒｅｃｏｒｄｉｎｇ  Ｍａｎａｇｅｒ  −ＩＤ（ＤＶＤＶＲ＿ＭＧＩ）』を参照することにより、コンテンツ（映像／音声）を記録した記録機種名を特定できる［３１］。
【００６２】
なお、［２１］，［２２］において、ＤＶＤフォーマットの上位フォルダーも特定機器に特有の規格（フォーマット）の上位ファイルも見つからない場合であっても、『過去に再生したことのある』、あるいは『予め映像再生装置で再生可能であることが確定している』ファイルが含まれている（ファイルが存在する）と判断できた場合、すなわち『知っているフォーマット』を見つけることができた場合（［２３］−ＹＥＳ）には、『個別リスト』が表示される［１６］。
【００６３】
なお、図２及び図４においては、外部媒体として、データ入出力部７１にセットされたＳＤカード（メモリーカード）を例に説明したが、例えばＤＬＮＡ（Ｄｉｇｉｔａｌ  Ｌｉｖｉｎｇ  Ｎｅｔｗｏｒｋ  Ａｌｌｉａｎｃｅ，登録商標）規格等に準拠したネットワークコントローラ９０や、図示しないがＢｌｕｅｔｏｏｔｈ（登録商標）により、データの受け渡しが可能な他のレコーダ装置の記録媒体（ＨＤＤ）等に記録されているコンテンツ（映像ファイル／音声ファイル）についても、同様に、『個別リスト』を表示することができる。
【００６４】
また、『個別リスト』すなわち、目的のファイルが検出された階層より上位の階層を非表示として、目的のファイルを一覧可能なリストは、上述した制御部６０、ＣＰＵ６１、階層構造取得部６５及びファイル検出部６６による検出結果を、例えば、信号処理部４７から供給される映像信号に重畳して表示可能に、ＯＳＤ信号生成部５７とグラフィック処理部５４とにより適切に処理することにより、得られる（表示される）。
【００６５】
このように、外部機器（記録媒体）やネットワーク上に接続されている機器の記憶装置に記録されているコンテンツについて、『過去に再生したことのある』、あるいは『予め映像再生装置で再生可能であることが確定している』ファイルを再生するためのフォーマットやファイル形式を検索して『個別リスト』を生成し、表示することで、デジタルカメラやムービー（ビデオカメラ）等で記録されたさまざまなファイルを、ユーザーに煩雑な操作を求めることなく、容易に再生可能となる。
【００６６】
なお、上述した『個別リスト』は、「インフォメーションファイル（．＿ＩＦＯ）」を解析したあとで生成することにより、（（．＿ＩＦＯ）ファイル内には、不連続点を１つに見せるための情報が記載されているため）１つのファイルとして表示することができる。例えばＤＶＤレコーダ装置等において用いられるＭＰＥＧ（Ｍｏｖｉｎｇ  Ｐｉｃｔｕｒｅ  Ｅｘｐｅｒｔｓ  Ｇｒｏｕｐ）−２規格の圧縮方式やＯＳ（Ｏｐｅｒａｔｉｎｇ  ｓｙｓｔｅｍ）におけるＦＡＴ３２（Ｆｉｌｅ  Ａｌｌｏｃａｔｉｏｎ  Ｔａｂｌｅ，ＦＡＴであって３２ビットＦＡＴであることを示す）に起因するファイルあたりの最大サイズ（４ＧＢ）であり、図５（ａ）に示すように、例えばＭＰＥＧ−２を標準的なレートで記録した場合に６時間程度、上位のレートで記録した場合に３時間程度で区切られた２以上のファイルについても、図５（ｂ）に示すように、（区切られたファイルであることを意識させない）１つのファイルとして表示することができる。
【００６７】
また、図４を用いて説明した『個別リスト（目的のファイルのみを表示）』の生成方法により特定された機種（モデル）名は、ユーザーが設定することで（ユーザーの設定により）、制御部６０の不揮発性メモリー（ＮＶＭ）６４等に保持されているショートカット機器（２回目以降に接続された場合には、直接ファイルを再生可能であって、通常は機器を接続（セット）した時点で、機種名、もしくは「デジタルカメラ」等に代表される機器のグループ名が表示される）一覧に追加することもできる。
【００６８】
なお、ショートカット機器一覧へ機種（モデル）名を追加する場合、例えば図６（ａ）に示すように、総ての機器について通常のディレクトリー（フォルダー）構造を取得し、図６（ｂ）に示すように、機器のグループ毎の上位ディレクトリー構造から、登録したいファイル（目的のファイル）が格納されているディレクトリー（フォルダー）まで、下位フォルダーに順にアクセスし、図６（ｃ）に示すように、登録したいファイル（目的のファイル）が見つかった（到達した）時点で、その（ファイルを保持した）フォルダー構造をショートカットリストに登録（追加）すればよい。この場合、登録されるフォルダー名は、目的のファイルを保持したフォルダー名が自動的に設定されるが、ユーザーが任意に設定（書き換え）できる。
【００６９】
また、ショートカット機器一覧へ機種（モデル）名を追加する場合、図６（ａ）に示したように、総ての機器について通常のディレクトリー（フォルダー）構造を取得し、機器のグループ毎の上位ディレクトリー構造から、登録したいファイル（目的のファイル）が格納されているディレクトリー（フォルダー）まで、下位フォルダーに順にアクセスして登録したいファイルを選択したのち、そのファイルのインデックス情報ファイル（．＿ＩＦＯ）やインデックス情報ファイル内に記録されているメーカー名や機種名を取得して、任意のフォルダー名を与えて、ショートカットリストに登録することもできる。
【００７０】
この方法によれば、例えばネットワークコントローラ９０を介して接続されている他のレコーダ装置の記録媒体（ＨＤＤ）等に記録されているコンテンツ（映像ファイル／音声ファイル）や、例えば市販のＤＶＤソフトを購入した購入者特典として、取得（閲覧）が認められているソフト供給元が提供する「特典映像」等を、特典映像を取得した機器以外である映像再生装置（本装置）において再生する等の複雑な再生形態においても、容易に「特典映像」を再生可能となる。
【００７１】
なお、上述した『ショートカットリストへの登録』により、同リストに登録された機器や外部媒体により記録されたコンテンツ（映像／音声（オーディオ））が記憶されている記録媒体がセットされることで、あるいはネットワーク上に接続されることで、ユーザーが再生しようとしているファイルを、容易に再生することができる。この場合、同リストに登録された機器や外部媒体により記録されたコンテンツ（映像／音声（オーディオ））が記憶されている記録媒体がセットされたことが、例えばポップアップ表示により、映像表示器１３に接続されているディスプレイ装置に表示される。
【００７２】
また、上述した『ショートカットリストへの登録』により、例えばユーザーが既に利用している機器と同一のメーカーが製造した別の機器やこれから販売される機器（事前に、再生機器として登録されていない機器）により記録されたファイルについても、従来のように、『通常のディレクトリー（フォルダー）構造を検索し、下位フォルダーにアクセスし、目的のファイルを再生する』という一連の手順が不要となり、類似したフォルダー名を見つけることができた時点で、容易にファイルを再生することが可能となる。
【００７３】
以上説明したように、本発明の実施の形態の１つを用いることで、複雑なディレクトリー構造を理解することなく、再生対象である目的のファイルを、容易に再生できる（直ぐに目的のファイルが保持されているフォルダーに到達できる）。
【００７４】
また、事前に再生機器として登録されていない機器により記録されたデータ（ファイル）についても、簡単な再生手続きにより、ファイルを再生することができる。
【００７５】
すなわち、本発明の実施形態の１つを用いることで、製造元（メーカー）毎に異なることの多い、それぞれの機器で決められたディレクトリー構造でファイルされたさまざまなデジタルカメラやムービー（ビデオカメラ）等で記録されたファイルを、複雑なディレクトリー（フォルダー）構造をユーザーに意識させること無く、容易に再生することができる。従って、ユーザーの操作性や利便性が大幅に向上する。
【００７６】
なお、本発明の内容はここに記述した形態だけに限定されるものではなく、その主旨を逸脱しない範囲で、他にも様々な形態を取り得ることはいうまでもない。また、各実施の形態は、可能な限り適宜組み合わせて、もしくは一部を削除して実施されてもよく、その場合は、組み合わせもしくは削除に起因したさまざまな効果が得られる。
【符号の説明】
【００７７】
１１…テレビ受信装置（映像再生装置）、１３…映像表示部、２１…出力端、４７…信号処理部、５４…グラフィック処理部、５７…ＯＳＤ信号生成部、５８…映像処理部、６０…制御部、６１…ＣＰＵ、６５…階層構造取得部、６６…ファイル検出部、６７…特徴部検出部、６８…特徴部記憶部、７１…データ入出力部、９０…ネットワークコントローラ。
【図１】
2010282720.tif 000003
【図２】
2010282720.tif 000004
【図３】
2010282720.tif 000005
【図４】
2010282720.tif 000006
【図５】
2010282720.tif 000007
【図６】
2010282720.tif 000008